(57)【要約】  電子キーの有効化と無効化の制約を低減し、セキュリティや利便性を向上させるために、電子キーＩＤを記憶する電子キーＩＤ記憶手段２５を備える電子キー１と、保管物を収納する収納ボックス５２と、収納ボックス５２Ａ，５２Ｂ，５２Ｃ，５２Ｄの開閉を許可する開閉許可手段２０と、電子キーＩＤを読み取って権限認証した場合に、開閉許可手段２０に収納ボックス５２Ａ，５２Ｂ，５２Ｃ，５２Ｄの開閉を許可させる開閉制御手段４０と、を有する鍵付保管庫５２は、電子キー１が、電子キー１に設けた１又は２以上のボタン７，８ａ，８ｂによって入力された個人識別情報を、電子キー１に設けた個人識別情報記憶手段に登録された特定の個人識別情報に照合し、入力された個人識別情報と登録された個人識別情報とが一致した場合には、電子キー１を有効化し、入力された個人識別情報と登録された個人識別情報とが一致しない場合には、電子キー１を無効化する。
2009057613.tif 000002
【特許請求の範囲】
【請求項１】
電子キーＩＤを記憶する電子キーＩＤ記憶手段を備える前記電子キーと、保管物を収納する収納ボックスと、前記収納ボックスの開閉を許可する開閉許可手段と、前記電子キーＩＤを読み取って権限認証した場合に、前記開閉許可手段に前記収納ボックスの開閉を許可させる開閉制御手段と、を有する鍵付保管庫において、
前記電子キーは、
前記電子キーの所有者を識別する個人識別情報を入力するための１又は２以上のボタンと、
特定の個人識別情報を登録する個人識別情報記憶手段と、
前記ボタンによって入力された個人識別情報を前記個人識別情報記憶手段に登録された特定の個人識別情報に照合し、入力された個人識別情報と登録された個人識別情報とが一致した場合には、前記電子キーを有効化し、入力された個人識別情報と登録された個人識別情報とが一致しない場合には、前記電子キーを無効化する電子キー有効・無効設定手段と、
を有することを特徴とする鍵付保管庫。
【請求項２】
請求項１に記載する鍵付保管庫において、
前記電子キー有効・無効設定手段は、
前記電子キーの有効状態を維持するための有効時間又は有効回数を超えたか否かを判定する有効条件判定手段と、
前記有効条件判定手段が前記有効時間又は前記有効回数を超えていないと判定した場合に、前記電子キーＩＤ記憶手段へのアクセスを許可する電子キーアクセス許可手段と、
を有することを特徴とする鍵付保管庫。
【請求項３】
請求項１又は請求項２に記載する鍵付保管庫において、
前記電子キーが、ホストコンピュータに通信回線を介して接続する携帯端末装置を用いて、内部データを書き換えられる
ことを特徴とする鍵付保管庫。
【請求項４】
請求項１乃至請求項３の何れか一つに記載する鍵付保管庫に使用されることを特徴とする電子キー。
【請求項５】
ＩＣチップを内蔵する電子キーにおいて、
前記電子キーの所有者を識別する個人識別情報を入力するための１又は２以上のボタンと、
特定の個人識別情報を登録する個人識別情報記憶手段と、
前記ボタンによって入力された個人識別情報を前記個人識別情報記憶手段に登録された特定の個人識別情報に照合し、入力された個人識別情報と登録された個人識別情報とが一致した場合には、前記電子キーを有効化し、入力された個人識別情報と登録された個人識別情報とが一致しない場合には、前記電子キーを無効化する電子キー有効・無効設定手段と、
を有することを特徴とする電子キー。
【発明の詳細な説明】
【技術分野】
【０００１】
本発明は、電子キーに記憶されているデータに基づいて権限認証した場合に扉の開閉を許可する鍵付保管庫及び電子キーに関する。
【背景技術】
【０００２】
従来、オフィスにおいては、保管庫の収納ボックス毎に開閉可能な鍵を、鍵管理ボックスに収納し、使用者がＩＤカード等の認証により、鍵管理ボックスの扉を開閉して、利用したい収納ボックス用の鍵を借り出して利用している。鍵管理ボックスは、ＩＤカードにより、使用者をＩＤ認証し、その人がその収納ボックスにアクセスする権利を有している場合にのみ扉を開いている。【０００３】
しかし、ＩＤカードと、鍵を別々に所持することは煩雑であり、また、多数の収納ボックス内の書類を調べようとすると、たくさんの鍵を持って移動しなければならず、作業性が悪い。その問題を解決するために、同じ一つの鍵を用いて、複数の収納ボックスを開閉できるシステムが望まれている。【０００４】
同じ一つの鍵を用いて、複数の保管庫の収納ボックスを開閉できるシステムとしては、マスターキーが知られている。マスターキーは、全ての保管庫の開閉が可能であるが、鍵を紛失した場合等の非常時用のものであり、マスターキーを日常的に使用しては、各別に異なる錠前を収納ボックスに取り付けて保管物を管理する意味がなくなってしまう。また、収納ボックス毎にアクセスする権利を人毎に設定することはできない。【０００５】
この点、交換容易なシリンダー錠前を用い、収納ボックス毎にシリンダー錠前を交換することにより、一つの鍵で開閉できる収納ボックスを設定可能とするものが市販されている。シリンダー錠前と鍵との関係を簡単に変更できるものとして、ＩＣチップと鍵とを組み合わせた電子キーがある。これによれば、一つの電子キーで開閉可能な収納ボックスを任意に設定し変更することができる。また、電子キーは、機械式の鍵と比べて複製が難しく、セキュリティが高い。【０００６】
しかし、電子キーのセキュリティが高いと言っても、電子キー自体が盗難されれば、収納ボックスを簡単に開くことができる。そこで、電子キーの有効と無効を設定できる保管庫システムが、特許文献１や、特許文献２、特許文献３、特許文献４に記載されている。【０００７】
図１８は、特許文献１に記載される保管庫システム１００の概略を説明するための図である。
従来の保管庫システム１００は、鍵付保管庫１０１の電子式錠装置１０２に電子キー１０３を近づけ、権限認証されると、鍵付保管庫１０１の扉１０４に取り付けた電子錠１０５を解錠又は施錠する。【０００８】
暗証番号設定器１０６は、鍵付保管庫１０１と別個に設けられている。ユーザは、例えば、扉１０４の電子錠１０５を施錠した後、鍵付保管庫１０１から暗証番号設定器１０６へ移動し、暗証番号設定器１０６によって電子キー１０３を無効に設定すれば、電子キー１０３が盗難されても、扉１０４を解錠されない。一方、ユーザは、暗証番号設定器１０６により電子キー１０３を有効に設定した後、暗証番号設定器１０６から鍵付保管庫１０１へ移動し、電子キー１０３を電子錠装置１０２に近づければ、扉１０４の電子錠１０５を解錠できる。【０００９】
また例えば、特許文献２には、電子錠本体に抜き差し可能な電子錠が、指紋読取部により指紋データを読み取り、指紋読取部が読み取った指紋データを電子錠に登録された指紋データに照合し、一致した場合にのみ、電子錠本体に電子錠の旋回運動を許容させることが記載されている。このような特許文献２記載の技術によれば、持ち主等の意に反した鍵の不正使用を防止することができる。【００１０】
また例えば、特許文献３には、電子キーを電子キー発行ボックスにセットしているときに、電子キー１が電子キー発行ボックスと双方向通信を行い、認証用の識別符号を登録されることが記載されている。そして、特許文献３には、電子キーを金庫扉の金庫錠に差し込むと、金庫側制御部が電子キーから認証用の識別符号を読み込んで自己の個別の識別符号と一致するか否かを判断し、一致すると判断したときに、金庫の鍵穴を覆っているカバーロックのロックを解除して金庫の鍵穴を露呈可能にすることが記載されている。さらに、特許文献３には、カバーロックのロックを解除することにより、ユーザが、カバーロックを露呈位置へ移動させて、電子キーと別の鍵を鍵穴に差し込んで金庫を解錠させることが記載されている。このような特許文献３記載の技術によれば、電子キーに登録された指紋に基づいて権限認証に成功した場合だけ、金庫を施錠・解錠することができる。【００１１】
また例えば、特許文献４には、使用者の指紋を認証する指紋認証部と、金庫等に開閉指示を非接触で送信する開閉ボタンとが電子キーに設けられ、指紋認証部が使用者の指紋を用いて認証に成功した場合に、開閉ボタンの操作を有効にすることが記載されている。この特許文献４記載の発明によれば、指紋を電子キーに登録した使用者のみが、金庫等を開閉できる。【００１２】
【特許文献１】特開２００４−２５１０５９号公報
【特許文献２】特開２００５−９００４９号公報
【特許文献３】特開２００４−３６０２３９号公報
【特許文献４】特開２００６−１８８９４１号公報
【発明の開示】
【発明が解決しようとする課題】
【００１３】
しかしながら、特許文献１に記載される保管庫システム１００は、例えば、暗証番号設定器１０６の稼働時間内に暗証番号設定器１０６へ行き、電子キー１０３を有効化又は無効化しなければならず、使い勝手が悪く、電子キー１０３の本来のセキュリティを確保するのが難しかった。【００１４】
具体的には、例えば、ユーザは、電子キー１０３で電子錠１０５を施錠した後、時間がない場合や、電子キー１０３の無効化を忘れて出掛けた場合には、電子キー１０３を有効化したまま持ち歩かざるを得ず、電子キー１０３のセキュリティを下げていた。【００１５】
また例えば、ユーザは、無効化した電子キー１０３をそのまま持って鍵付保管庫１０１へ戻った場合には、電子錠１０５を解錠して扉１０４を開くことができないため、暗証番号設定器１０６へ行って電子キー１０３を有効にしてから再度鍵付保管庫１０１へ戻って来なければならず、ロスが生じやすかった。【００１６】
このように、特許文献１に記載される保管庫システム１００は、電子キー１０３の有効化と無効化の設定に制約を受け、電子キー１０３が有する本来のセキュリティの確保や、利便性の上で問題があった。【００１７】
この点、特許文献２，４記載の技術は、電子キー上で指紋に基づく権限認証を行い、正当権限が認証された場合に、電子キーを有効化して扉の施錠・解錠を行うことができるので、電子キーの有効化と無効化の設定に場所的な制約を受けない。しかし、特許文献２，４記載の技術は、指紋を読み取る指紋読み取り部や基板構造が大型で複雑である。そのため、電子キーが大きくなってしまっていた。【００１８】
また、特許文献３記載の技術は、電子キー発行ボックスが電子キーに認証用の識別符号を登録して電子キーを有効化するため、電子キーが電子キー発行ボックスから持ち出された後に盗難等をされると、保管庫が不正に開閉される虞があった。【００１９】
そこで、本発明は、上記問題点を解決するためになされたものであり、電子キー上で電子キーの有効化と無効化を設定する構造を簡素化して電子キーをコンパクトにしつつ、セキュリティや利便性を向上させることができる鍵付保管庫及び電子キーを提供することを目的とする。
【課題を解決するための手段】
【００２０】
上記目的を達成するために、本発明に係る鍵付保管庫及び電子キーは以下の構成を有する。
（１）本発明の一態様に係り、電子キーＩＤを記憶する電子キーＩＤ記憶手段を備える前記電子キーと、保管物を収納する収納ボックスと、前記収納ボックスの開閉を許可する開閉許可手段と、前記電子キーＩＤを読み取って権限認証した場合に、前記開閉許可手段に前記収納ボックスの開閉を許可させる開閉制御手段と、を有する鍵付保管庫において、前記電子キーは、前記電子キーの所有者を識別する個人識別情報を入力するための１又は２以上のボタンと、特定の個人識別情報を登録する個人識別情報記憶手段と、前記ボタンによって入力された個人識別情報を前記個人識別情報記憶手段に登録された特定の個人識別情報に照合し、入力された個人識別情報と登録された個人識別情報とが一致した場合には、前記電子キーを有効化し、入力された個人識別情報と登録された個人識別情報とが一致しない場合には、前記電子キーを無効化する電子キー有効・無効設定手段と、を有する。
尚、ボタンには、ボタン式のものの他、ジョグダイヤル式のボタンなど、電子キー上で押下したり回転させるなどして操作可能なボタン全般を含む。【００２１】
（２）（１）に記載の発明において、前記電子キー有効・無効設定手段は、前記電子キーの有効状態を維持するための有効時間又は有効回数を超えたか否かを判定する有効条件判定手段と、前記有効条件判定手段が前記有効時間又は前記有効回数を超えていないと判定した場合に、前記電子キーＩＤ記憶手段へのアクセスを許可する電子キーアクセス許可手段と、を有することが好ましい。【００２２】
（３）（１）又は（２）に記載の発明において、前記電子キーが、ホストコンピュータに通信回線を介して接続する携帯端末装置を用いて、内部データを書き換えられることが好ましい。【００２３】
（４）本発明の他の態様に係る電子キーは、（１）乃至（３）の何れか一つに記載する鍵付保管庫に使用される。【００２４】
（５）本発明の更に他の態様に係るＩＣチップを内蔵する電子キーにおいて、前記電子キーの所有者を識別する個人識別情報を入力するための１又は２以上のボタンと、特定の個人識別情報を登録する個人識別情報記憶手段と、前記ボタンによって入力された個人識別情報を前記個人識別情報記憶手段に登録された特定の個人識別情報に照合し、入力された個人識別情報と登録された個人識別情報とが一致した場合には、前記電子キーを有効化し、入力された個人識別情報と登録された個人識別情報とが一致しない場合には、前記電子キーを無効化する電子キー有効・無効設定手段と、を有する。
【発明の効果】
【００２５】
上記構成を有する本発明の鍵付保管庫及び電子キーは、１又は２以上のボタンに入力された個人識別情報を、個人識別情報記憶手段に記憶された特定の個人識別情報に照合する。そして、電子キーは、入力された個人識別情報と登録された個人識別情報とが一致した場合には、電子キーを有効化して、鍵付保管庫の収納ボックスを開閉できるようにする。一方、入力された個人識別情報と登録された個人識別情報とが一致しない場合には、電子キーを無効化して、鍵付保管庫の収納ボックスを開閉できないようにする。【００２６】
このように、本発明の電子キーは、電子キー上の１又は２以上のボタンを用いて入力された個人識別情報に基づいて個人認証を行うことにより、有効化するので、指紋等の個人識別情報を読み取る大きな読み取り部や複雑な基板を設ける必要がなく、コンパクトである。また、本発明の電子キーは、電子キーの有効化又は無効化に場所的制限や時間的制限を受けず、利便性が良い。更に、本発明の電子キーは、電子キーを落としても、１又は２以上のボタンで正しい個人識別情報を入力しない限り、電子キーを有効化して保管庫を開閉できないので、セキュリティを向上させることができる。【００２７】
また、本発明の鍵付保管庫及びそれに使用される電子キーは、有効時間や有効回数に従って、電子キーを有効にするので、一度有効にした電子キーでも、有効時間や有効回数を超えた時点で自動的に無効化され、鍵付保管庫の収納ボックスを開閉できなくなる。よって、本発明の鍵付保管庫及びそれに使用される電子キーは、権限なき人が電子キーを無制限に使用することを防止できる。【００２８】
また、本発明の鍵付保管庫及びそれに使用される電子キーは、電子キーを携帯端末装置に接続し、携帯端末装置を通信回線を介してホストコンピュータに接続することにより、ホストコンピュータによって電子キーのデータを書き換えることが可能である。よって、本発明の鍵付保管庫及びそれに使用される電子キーによれば、電子キーのデータを書き換える時間や場所を制限されない。
【図面の簡単な説明】
【００２９】
【図１】本発明の第１実施形態に係る鍵付保管庫の外観斜視図である。
【図２】図１に示す錠前制御手段の電気ブロック図である。
【図３】図１に示す電子キーの平面図である。
【図４】図３に示す電子キーを図中Ａ方向から見た図である。
【図５】図３に示す電子キーの内部構造を示す図である。
【図６】図３に示すケースの断面図である。
【図７】図３に示す電子キーのリードライト回路を示すブロック図である。
【図８】図３に示す電子キーの論理ブロック図である。
【図９】本発明の第２実施形態に係り、電子キーに記憶されるアクセス権を書き換えるデータ書換システムの一例を示す図である。
【図１０】図９に示すデータ書換システムの動作を説明する図である。
【図１１】本発明の第３実施形態に係り、電子キーをパソコンに接続する構造の一例を示す図である。
【図１２】図１１に示す電子キーのデータ書換処理を示す図である。
【図１３】本発明の第４実施形態に係り、電子キーを管理する鍵管理ボックスの概略構成を示す図である。
【図１４】図１に示す電子キーの第１変形例である。
【図１５】図１に示す電子キーの第２変形例である。
【図１６】図１に示す電子キーの第３変形例である。
【図１７】図１に示す電子キーの電子回路の変形例を示す図である。
【図１８】特許文献１に記載される電子錠式ロッカーシステムの概要を説明するための図である。
【符号の説明】
【００３０】
１  電子キー
７  指示ボタン
８ａ，８ｂ  第１，第２設定値入力ボタン
１３  接触式ＩＣチップ
２０  錠前（開閉許可手段）
２２  個人認証手段
２２ａ  個人識別情報判別手段
２２ｂ  個人識別情報記憶手段
２２ｃ  個人識別情報入力手段
２３  有効条件判定手段
２４  電子キーアクセス許可制御手段
２５  電子キーＩＤ記憶手段
２８  電子キー有効・無効設定手段
４０  錠前制御手段（開閉制御手段）
５１，５２，５３  鍵付保管庫
５１Ａ，５２Ａ，５２Ｂ，５２Ｃ，５２Ｄ，５３Ａ，５３Ｂ，５３Ｄ  収納ボックス
７１  携帯電話（携帯端末装置）
７７  ネットワーク網（通信回線）
７８  ホストコンピュータ
９２  外部通信インターフェース
９５  パソコン（書換装置）
【発明を実施するための最良の形態】
【００３１】
次に、本発明に係る鍵付保管庫及びそれに使用される電子キーの一実施形態について図面を参照して説明する。【００３２】
（第１実施形態）
＜鍵付保管庫の全体構成＞
図１は、本発明の第１実施形態に係る鍵付保管庫５１、５２，５３の外観斜視図である。
第１実施形態では、３種類の保管庫５１，５２，５３が連続して設置されている。保管庫５１は、観音開き式の収納ボックス５１Ａを備える。保管庫５２は、１つの観音開き式の収納ボックス５２Ａと、３つの引き出し式収納ボックス５２Ｂ，５２Ｃ，５２Ｄを備える。保管庫５３は、保管庫５２と同じ構成である。各収納ボックス５１Ａ，５２Ａ，５２Ｂ，５２Ｃ，５２Ｄ，５３Ａ，５３Ｂ，５３Ｃ，５３Ｄには、錠前２０（「開閉許可手段」の一例）が取り付けられ、保管物が内部に収納される。保管庫５１の上面には、３つの保管庫５１，５２，５３の各収納ボックス５１Ａ，５２Ａ，５２Ｂ，５２Ｃ，５２Ｄ，５３Ａ，５３Ｂ，５３Ｃ，５３Ｄの開閉を制御するための錠前制御手段４０（「開閉制御手段」の一例）が付設されている。【００３３】
図２は、図１に示す錠前制御手段４０の電気ブロック図である。
錠前制御手段４０は、データの加工や演算を行うＣＰＵ４１と、制御プログラムを記憶するＲＯＭ４３と、収納ボックスの開閉履歴（どの収納ボックスを、誰がいつ開けて、いつ閉めたか）、収納ボックス毎のアクセス権を有する接触式ＩＣチップのデータを読み書きされるＲＡＭ４２を備えている。錠前制御手段４０は、パソコン４４とＬＡＮにより接続されている。【００３４】
パソコン４４は、収納ボックスの開閉履歴やアクセス権をＲＡＭ４２と共に記憶することで、データの安全性を高めている。パソコン４４は、個人に与えるアクセス権の変更や、保管庫の増設などにより、アクセス権のデータが修正された場合には、ＲＡＭ４２のデータを修正する。また、パソコン４４は、ＲＡＭ４２の開閉履歴が書き換えられると、パソコン４４側に記憶されている開閉履歴を同様に修正する。【００３５】
各錠前２０Ａ，２０Ｂ，２０Ｃ…は、電子キー１にデータを読み書きするデータ通信基板４５Ａ，４５Ｂ，４５Ｃ…と、錠前２０の回転を制御するソレノイド４６Ａ，４６Ｂ，４６Ｃ…を備える。錠前制御手段４０は、各錠前２０のデータ通信基板４５Ａ，４５Ｂ，４５Ｃ…とソレノイド４６Ａ，４６Ｂ，４６Ｃ…に、配線を介して接続されている。【００３６】
尚、パソコン４４を使用できないとき、すなわち、例えばスタンドアローンで安価なシステムを構成したい場合には、錠前制御手段４０に、キースイッチ等の登録手段を備えさせてもよい。この場合、例えば、アクセス権データ変更権限を有する人が、キースイッチ等により暗証番号を入力することにより、登録機能を有効とするモードに書き換えるようにするとよい。登録機能を有効とするモードでは、接触式ＩＣチップのデータを読み取ると、そのデータをＲＡＭ４２に直接、登録記憶させるようにすれば、アクセス権の変更を容易に行うことができる。【００３７】
＜電子キー＞
図３は、図１に示す電子キー１の平面図である。図４は、図３に示す電子キー１を図中Ａ方向から見た図である。
電子キー１は、金属製の差込体２にＩＣユニット３が取り付けられている。ＩＣユニット３は、静電気を防止するために、樹脂製のケース４により外観が構成されている。ケース４は、第１ケース片５と第２ケース片６とを連結して、第１及び第２ケース５，６の間に、差込体２の枠部２ｂを収納する中空部を内部に形成している。【００３８】
入力動作の始めと終わりを指示する指示ボタン７と、「個人識別情報」を入力するための複数の設定値入力ボタン８（第１実施形態では、第１設定値入力ボタン８ａ、第２設定値入力ボタン８ｂとする。）は、第１ケース片５から外部に露出し、押圧して操作できるようにされている。ＬＥＤ９は、第１ケース片５に形成された露出口５ａから外部に露出し、点滅状態を視認できるようになっている。ＩＣユニット３は、ＩＣチップ１３の第１端子１１と第２端子１２がケース４の内部から外部へ延設され、差込体２の両側に配置されている。【００３９】
図５は、図３に示す電子キー１の内部構造を示す図である。
差込体２の枠部２ｂには、ケース４の内部から外部へ突き出すように差込部２ｃが一体に設けられている。枠部２ｂには、ＩＣチップ用基板１０に搭載されたＩＣチップ１３やＬＥＤ９を収容する開口部２ａが形成され、ＩＣチップ１３やＬＥＤ９の配線等が差込体２に接触することを防いでいる。ＩＣチップ用基板１０には、ＩＣチップ１３と、ＩＣチップ１３の第１端子１１及び第２端子１２と、ＬＥＤ９がはんだ付け等により取り付けられている。また、ＩＣチップ用基板１０は、指示ボタン７の一端に内蔵される開始指示用接点（図示せず）に接触して入力開始指示信号をＩＣチップ１３に出力する第１指示入力接点１８ａと、指示ボタン７の他端に内蔵される終了指示用接点（図示せず）に接触して入力終了信号をＩＣチップ１３に出力する第２指示入力接点１８ｂと、第１及び第２設定値入力ボタン８ａ，８ｂに内蔵される接点（図示せず）に接触してＡ信号又はＢ信号をＩＣチップ１３に出力する設定値入力接点１９ａ，１９ｂが設けられている。ＩＣチップ用基板１０は、延設部１０ａ，１０ｂが所定間隔を空けて平行に延設されている。第１端子１１と第２端子１２は、延設部１０ａ，１０ｂ上に取り付けられ、差込体２と絶縁されている。【００４０】
図６は、図３に示すケース４の断面図である。
ケース４は、第１及び第２ケース５，６が断面コの字形をなす。第１及び第２ケース片５，６は、第１ケース片５の係止爪５ｂを第２ケース片６の係合凸部６ａに係止させ、第２ケース片６の係止爪６ｂを第１ケース片５の係合凸部５ｃに係止させることにより、連結されている。【００４１】
ここで、ケース４は、中空状であるため、ＩＣチップ用基板１０が位置ずれする恐れがある。そのため、ケース４は、図５に示すように、ＩＣチップ用基板１０やＬＥＤ９の周りに沿ってリブ６ｃが第２ケース片６の内側面に立設され、リブ６ｃと差込体２との間でＩＣチップ用基板１０やＬＥＤ９を保持している。尚、第２ケース片６と差込体２の枠部２ｂとの間には、リブ６ｃを設けた分の隙間が形成されている。その隙間には、ＩＣチップ１３の電源となる電池１７が配置されている。【００４２】
＜電子キーの電気回路構成＞
図７は、図３に示す電子キー１のリードライト回路を示すブロック図である。
電子キー１は、第１整流ダイオードＤ１のアノード側がＩＣチップ１３に接続され、第１整流ダイオードＤ１のカソード側が第１端子１１に接続されており、第１端子１１からＩＣチップ１３を介して第２端子１２へ電流を流すようになっている。第１抵抗Ｒ１は、第１整流ダイオードＤ１と並列に設けられ、非線形素子であるＩＣチップ１３に僅かな電流が流れたときでも第１整流ダイオードＤ１をＯＮ状態に切り替えられるようにしている。【００４３】
また、電子キー１は、ＩＣチップ１３と並列にＬＥＤ９が設けられている。第２整流ダイオードＤ２は、アノード側が第２端子１２に接続され、カソード側がＬＥＤ９に接続されており、第２端子１２からＬＥＤ９を介して第１端子１１へ電流を流すように配置されている。第２抵抗Ｒ２は、ＬＥＤ９と第２端子１２との間に配置され、ＬＥＤ９に流れる電流を安定させる。第１及び第２整流ダイオードＤ１，Ｄ２と第１及び第２抵抗Ｒ１，Ｒ２は、ＩＣチップ１３に電流を供給する回路と、ＬＥＤ９に電流を供給する回路とを切り替える「回路切替手段」を構成する。【００４４】
＜電子キーの論理ブロック構成＞
図８は、図３に示す電子キー１の論理ブロック図である。
電子キー１は、個人認証手段２２と、電子キー有効・無効設定手段２８と、外部通信インターフェース手段２７とを備える。【００４５】
個人認証手段２２は、電子キー１の所有者を個人認証するものである。個人認証手段２２は、個人識別情報入力手段２２ｃと、個人識別情報判定手段２２ａと、個人識別情報記憶手段２２ｂとを備える。【００４６】
個人識別情報入力手段２２ｃは、「個人識別情報」を入力するものである。「個人識別情報」は、電子キー１を使用する正当な権限を有する者を識別するためのデータである。第１実施形態では、指示ボタン７と第１及び第２設定値入力ボタン８ａ，８ｂにより、個人識別情報入力手段２２ｃを構成する。【００４７】
個人識別情報記憶手段２２ｂは、電子キー１の付与時に予め登録された「個人識別情報」（以下、個人識別情報入力手段２２ｃに入力された「個人識別情報」と区別するために、「登録個人識別情報」という。）を登録するものである。個人識別情報記憶手段２２ｂは、セキュリティを高めるために、電子キー１のデータを専門に書き換える書換専用装置（例えば、書き換え専用ソフトをインストールしたパソコン）においてのみ、「個人識別情報」が書き換えられるようになっている。
個人識別情報判定手段２２ａは、個人識別情報入力手段２２ｃに入力された「個人識別情報」を個人識別情報記憶手段２２ｂの登録個人識別情報と照合して、一致する場合に個人認証するものである。【００４８】
電子キー有効・無効設定手段２８は、個人認証手段２２が個人認証した場合には、電子キー１を有効化し、個人認証手段２２が個人認証しない場合には、電子キー１を無効化するものである。電子キー有効・無効設定手段２８は、有効条件判定手段２３と、電子キーアクセス許可制御手段２４とを備える。【００４９】
有効条件判定手段２３は、個人認証手段２２が個人認証した場合に、「有効条件」を満たすか否かを判定するものである。「有効条件」とは、電子キー１の有効状態を維持するための条件をいう。「有効条件」は、他人が電子キー１を盗用することを防止するために、有効時間や有効回数とすることが望ましい。そして、「有効条件」が有効時間である場合には、有効条件判定手段２３をタイマで構成する。一方、「有効条件」が有効回数である場合には、有効条件判定手段２３をカウンタで構成する。第１実施形態では、「有効条件」を、個人識別情報入力手段２２ｃに「個人識別情報」を入力した後、５分間だけ電子キー１を有効にする有効時間とし、有効条件判定手段２３をタイマで構成している。【００５０】
電子キーアクセス許可制御手段２４は、通常時には、第１及び第２端子１１，１２を接続する回路を切断している。電子キーアクセス許可制御手段２４は、有効条件判定手段２３が「有効条件」を満たす、すなわち、個人識別情報入力手段２２ｃに「個人識別情報」を入力した後、５分間以内であると判断した場合に、第１及び第２端子１１，１２とを接続し、外部通信インターフェース手段２７が電子キーＩＤ記憶手段２５やアクセス権記憶手段２６にアクセスすることを許可するものである。【００５１】
電子キーＩＤ記憶手段２５は、電子キー１を識別する「電子キーＩＤ」を記憶するものである。電子キーＩＤ記憶手段２５は、セキュリティを高めるために、電子キー１のデータを専門に書き換える書換専用装置（例えば、書き換え専用ソフトをインストールしたパソコン）においてのみ、「電子キーＩＤ」が書き換えられるようになっている。尚、電子キーＩＤ記憶手段２５は、ＩＣチップ１３の製造時にＩＣチップ１３に個別に付与される番号を電子キーＩＤとして記憶するものであっても良い。【００５２】
アクセス権記憶手段２６は、電子キー１の所有者が有する「アクセス権」を記憶するものである。「アクセス権」とは、収納ボックスを開閉する権利を言う。アクセス権の設定・変更権限を有する権限者は、例えば、自分のパソコンに、アクセス権を書き換えるためのソフトウエアをインストールし、アクセス権記憶手段２６に記憶しているアクセス権を個別に変更する。【００５３】
外部通信インターフェース手段２７は、第１及び第２端子１１，１２に接触してＩＣチップ１３にデータを読み書きするデータ読み取り手段（例えば錠前制御手段４０）との通信を制御するものである。【００５４】
尚、電子キーアクセス許可制御手段２４と外部通信インターフェース手段２７との間には、電池残量測定手段２９が接続している。電池残量測定手段２９は、電池１７の残量を監視し、電子１７の残量が所定量以下になった場合にＬＥＤ９を特定周期で点滅させてユーザに電池残量が少なくなったことを知らせるものである。【００５５】
＜錠前の電気ブロック構成＞
図７に示すように、錠前２０は、電子キー１の第１及び第２端子１１，１２に接触してデータを読み取る第１スイッチ回路１４と第２スイッチ回路１５とを備える。第１及び第２スイッチ回路１４，１５は、ＩＣチップ１３に設けた第１及び第２端子１１，１２に接触して第１及び第２端子１１，１２の極性を切り替えることにより、ＩＣチップ１３のデータの読み取りと、ＬＥＤ９への電流供給を行う「極性切替手段」を構成する。【００５６】
第１及び第２スイッチ回路１４，１５は、ｃ接点がａ接点又はｂ接点に切り替えて接続されるようになっている。第１スイッチ回路１４のａ接点と第２スイッチ回路１５のｂ接点は、グランドに接続されている。一方、第２スイッチ回路１５のａ接点は、電源１６に接続されている。そして、第１スイッチ回路１４のｂ接点は、データ通信基板４５に接続している。プルアップ抵抗Ｒ３は、第２端子のａ接点と電源１６との間の接続点Ｐ１と、第１スイッチ回路１４のｂ接点とデータ通信基板４５との間の接続点Ｐ２とに接続し、電源１６から第１スイッチ回路１４又は第２スイッチ回路１５へ印加する電圧を５Ｖに安定させている。【００５７】
従って、第１スイッチ回路１４がｃ接点をａ接点に接続し、第２スイッチ回路１５がｃ接点をｂ接点に接続するときには、第１及び第２端子１１，１２が何れもグランドに接続され、第１及び第２端子１１，１２に電流が流れない。すなわち、ＩＣチップ１３のデータ読み取り及びＬＥＤ９の点灯が行われない。また、第１及び第２スイッチ回路１４，１５の何れもｃ接点をａ接点に接続するときには、電源１６が第２スイッチ回路１５、第２端子１２、ＬＥＤ９、第１端子１１、第１スイッチ回路１４を介してグランドに接続する。このため、電子キー１は、第２端子１２からＬＥＤ９を介して第１端子１１に電流が流れ、ＬＥＤ９が点灯する。一方、第１及び第２スイッチ回路１４，１５の何れもｃ接点をｂ接点に接続するときには、電源１６がデータ通信基板４５、第１スイッチ回路１４、第１端子１１、ＩＣチップ１３、第２端子１２、第２スイッチ回路１５を介してグランドに接続する。このため、電子キー１は、第１端子１１からＩＣチップ１３を介して第２端子１２に電流が流れ、ＩＣチップ１３のデータがデータ通信基板４５を介して錠前制御手段４０（図２参照）に読み取られる。このように、本実施形態では、第１及び第２スイッチ回路１４，１５が接点切替を行うと、第１及び第２端子１１，１２を流れる電流の向きが逆転し、第１及び第２端子１１，１２の極性を切り替えることができる。【００５８】
＜動作説明＞
続いて、第１実施形態の鍵付保管庫５１，５２，５３及びそれに使用される電子キー１の動作について説明する。
例えば、アクセス権を設定・変更する権限を有する権限者は、例えば、収納ボックス５１Ａ，５２Ａ，５３Ａを使用できるアクセス権を電子キー１のアクセス権記憶手段２６に記憶させ、その電子キー１を甲に所持させる。【００５９】
甲は、書類を取り出す場合には、鍵付保管庫５２へ行き、収納ボックス５２Ａの錠前２０に有効化した電子キー１を差し込む。電子キー１の有効化については、後述する。【００６０】
電子キー１は、ＬＥＤ９が点灯して、ＩＣチップ１３が錠前２０の第１及び第２スイッチ回路１４，１５に電子キーＩＤとアクセス権を読み取られる。このデータ通信方法については、後述する。【００６１】
錠前２０は、データ通信基板４５が第１及び第２スイッチ回路１４，１５を介して電子キー１から読み取った電子キーＩＤとアクセス権を錠前制御手段４０に出力する。錠前制御手段４０は、データ通信基板４５が読み取った電子キーＩＤとアクセス権を、ＲＡＭ４２に記憶されているデータと照合し、収納ボックス５２Ａの使用権限を認証できた場合には、収納ボックス５２Ａの錠前２０に設けたソレノイド４６に電圧を印加し、錠前２０の回転を許可する。甲は、ソレノイド４６の駆動音を聞いたら、電子キー１を所定方向に回転させ、錠前２０を解錠する。【００６２】
甲は、収納ボックス５２Ａの扉を開き、所望のファイルを取り出したら、収納ボックス５２Ａの扉を閉じる。それから、甲は、カチと音がするまで電子キー１を所定方向と反対方向に回転させ、錠前２０を施錠する。【００６３】
このとき、錠前制御手段４０は、甲が錠前２０を解錠した日時を、甲が収納ボックス５２Ａを開けた日時としてＲＡＭ４２とパソコン４４に記憶する。また、錠前制御手段４０は、甲が錠前２０を施錠した日時を、甲が収納ボックス５２Ａを閉じた日時としてＲＡＭ４２とパソコン４４に記憶する。更に、電子キー１のＩＣチップ１３にも、収納ボックス５２Ａの利用履歴を記憶する。【００６４】
甲が錠前２０を施錠し忘れた場合には、錠前制御手段４０のＲＡＭ４２とパソコン４４の利用履歴から、収納ボックス５２Ａを開いた甲が収納ボックス５２Ａの扉を閉じていないことを特定できる。よって、甲は、収納ボックス５２Ａの開閉の責任を果たすために、収納ボックス５２Ａを確実に施錠するように努めるようになり、施錠忘れや施錠ミスを低減できる。【００６５】
尚、甲は、書類を返却する場合には、上記と同じ手順で収納ボックス５２Ａを開閉し、書類を返却すれば良い。この場合にも、甲が収納ボックス５２Ａを開閉した日時が、錠前制御手段４０とパソコン４４と電子キー１に記憶される。【００６６】
＜電子キーの有効化＞
甲は、次のようにして、電子キー１を有効化する。
甲は、電子キー１の指示ボタン７を押下して「個人識別情報」の入力開始を指示した後、例えば、第１設定値入力ボタン８ａを３回押下して「Ａ」を３回入力した後、第２設定値入力ボタン８ｂを１回押下して「Ｂ」を１回入力することによって「個人識別情報」（Ａ−Ａ−Ａ−Ｂ）を入力し、その後に指示ボタン７を再度押下して、「個人識別情報」の入力終了を指示する。【００６７】
すると、電子キー１は、個人識別情報判定手段２２ａが、入力された「個人識別情報」を個人識別情報記憶手段２２ｂの登録個人識別情報と照合し、両者が一致するか否かを判断する。両者が一致する場合には、有効条件判定手段２３が起動し、「個人識別情報」を入力した後から有効時間（５分）以内で有るか否かを判断する。有効時間（５分）以内である場合には、電子キーアクセス許可制御手段２４が、第１及び第２端子１１，１２を接続し、外部通信インターフェース手段２７から電子キーＩＤ記憶手段２５とアクセス権記憶手段２６にアクセスすることを許可する。【００６８】
電子キー１は、甲が「個人識別情報」を入力してから有効時間（５分）が経過すると、有効条件判定手段２３が有効条件を満たさないと判断する。この場合、電子キーアクセス許可制御手段２４は、第１及び第２端子１１，１２を接続する回路を切断し、外部通信インターフェース２７が電子キーＩＤ記憶手段２５やアクセス権記憶手段２６にアクセスすることを許可しない。これにより、電子キー１は自動的に無効化される。【００６９】
尚、例えば、「登録個人識別情報」がＡ−Ａ−Ｂ−Ｂである場合には、上述のように入力された「個人識別情報」（Ａ−Ａ−Ａ−Ｂ）は、登録個人識別情報と一致しない。この場合、有効条件判定手段２３が動作せず、電子キーアクセス許可手段２４は、第１及び第２端子１１，１２を接続する回路を切断したままである。よって、電子キー１は、無効化されたままになる。このような場合でも、甲は、正しい「個人識別情報」を入れ直せば、電子キー１を有効化して使えるようになる。【００７０】
＜データ通信方法＞
甲は、電子キー１の第１端子１１と第２端子１２が、錠前２０の第１スイッチ回路１４と第２スイッチ回路１５のｃ接点に接触するように、電子キー１を錠前２０に差し込む。このとき、錠前２０の錠前制御手段４０は、第１及び第２スイッチ回路１４，１５のｃ接点をａ接点に接続させる制御信号を第１及び第２スイッチ回路１４，１５に出力している。電子キー１が有効である場合には、電源１６の電流が第２スイッチ回路１５から電子キー１を介して第１スイッチ回路１４へ流れる。【００７１】
有効化された電子キー１は、第２スイッチ回路１５から供給された電流が、第２整流ダイオードＤ２を介してＬＥＤ９に供給され、ＬＥＤ９を点灯させる。このとき、第２スイッチ回路１５から供給された電流は、第１整流ダイオードＤ１によってＩＣチップ１３へ流れない。【００７２】
第１及び第２スイッチ回路１４，１５は、所定時間（例えば数ｍｓｅｃ）が経過すると、ｃ接点をｂ接点に接触させるようにスイッチを切り替える。これにより、電源１６は、第１スイッチ回路１４を介して電子キー１に電流を供給する。電子キー１に供給された電流は、ＩＣチップ１３へ流れ、第１整流ダイオードＤ１を介して第２スイッチ回路１５へ流れる。【００７３】
この状態において、データ通信基板４５は、第１スイッチ回路１４を介してＩＣチップ１３に電気的に接続する。錠前制御手段４０は、電子キー有効・無効設定手段２８によって電子キー１が有効化されている場合には、データ通信基板４５を介してＩＣチップ１３の電子キーＩＤ記憶手段２５やアクセス権記憶手段２６から「電子キーＩＤ」や「アクセス権」を読み取ることができる。また、錠前制御手段４０は、データ通信基板４５を介してＩＣチップ１３のメモリに、収納ボックス５２Ａを開閉した日時を記憶させることができる。その後、さらに所定時間（例えば数ｍｓｅｃ）が経過したら、錠前制御手段４０は、ｃ接点をａ接点に接続する制御信号を第１及び第２スイッチ回路１４，１５に出力する。【００７４】
ここで、錠前制御手段４０は、上記第１及び第２スイッチ回路１４，１５の接点切替を数ｍｓｅｃという短い時間で繰り返し行う。そのため、甲の目には、残像効果によりＬＥＤ９が連続点灯しているように見える。よって、甲は、ＬＥＤ９の点灯状態からＩＣチップ１３のデータが保管庫側に読み取られていることを確認できる。【００７５】
これに対して、例えば、甲が、「個人識別情報」を入力し忘れたまま電子キー１を収納ボックス５２Ａの錠前２０に差し込んだ場合や、電子キー１の有効時間が経過した場合には、電子キー１は、電子キーアクセス許可制御手段２４が第１及び第２端子１１，１２を接続する回路を切断し、外部通信インターフェース２７から電子キーＩＣ記憶手段２５やアクセス権記憶手段２６にアクセスできないようにしている。そのため、保管庫５２は、データ基板４５が、ＩＣチップ１３の電子キーＩＤ記憶手段２５やアクセス権記憶手段２６から「電子キーＩＤ」や「アクセス権」を読み取ることができず、収納ボックス５２Ａの錠前２０を解錠しない。また、データ通信基板４５は、ＩＣチップ１３のメモリに、収納ボックス５２Ａを開閉した日時を記憶させることができない。【００７６】
この場合には、第１及び第２端子１１，１２の間が電子キーアクセス許可制御手段２４により切断され、第１及び第２端子１１，１２の間に電流が流れないため、電子キー１のＬＥＤ９が点灯しない。甲は、ＬＥＤ９の非点灯状態を見て、電子キー１が無効化されているために、錠前２０を解錠できないことに気付く。そこで、甲は、電子キー１を錠前２０から抜いて「個人識別情報」を入力し、電子キー１を有効化した後、再度、電子キー１を収納ボックス５２Ａの錠前２０に差し込む。【００７７】
尚、甲は、電子キー１を有効化してもＬＥＤ９が点灯しない、若しくは、不規則に点滅する場合、第１及び第２端子１１，１２が接触不良を生じていると判断する。第１及び第２端子１１，１２に酸化膜が形成されていると、第１及び第２端子１１，１２に流れる電流が不安定になるからである。この場合、甲は、電子キー１を錠前２０に繰り返し出し入れするなどして第１及び第２端子１１，１２の酸化皮膜を除去する。これにより、錠前２０が解錠されたら、甲は収納ボックス５２Ａを開けて保管物を取り出す。【００７８】
また、甲が開閉権限を有しない収納ボックス５２Ｂの錠前２０に電子キー１を差し込んだ場合には、電子キー１は、錠前２０のデータ通信基板４５を介して錠前制御手段４０にＩＣチップ１３の電子キーＩＤとアクセス権を読み取られるが、認証に失敗するため、甲は収納ボックス５２Ｂを開閉できない。この場合、錠前制御手段４０は、第１及び第２スイッチ回路１４，１５のｃ接点をａ接点に接触させてＬＥＤ９を点灯させた後、極微少時間にて、第１及び第２スイッチ回路１４，１５のｃ接点をｂ接点に接触させてＩＣチップ１３のデータを読み取り、認証失敗時、第１スイッチ回路１４のｃ接点をａ接点に接触させ、第２スイッチ回路１５のｃ接点をｂ接点に接触させ、ＬＥＤ９を消灯させる。このＬＥＤ９の点灯，ＩＣチップ１３のデータの読み取り，ＬＥＤ９の消灯の繰り返しにより、人間の目にはＬＥＤ９が一定周期で点滅しているように見える。よって、甲はＬＥＤ９が点滅している様子を見て、認証に失敗したことを知り、開閉権限を有する収納ボックス５２Ａの錠前２０に電子キー１を差し込み直す。このように保管庫５１〜５３は、電子キー１がボタン７，８Ａ，８Ｂに入力された情報に基づいて単独で個人認証を行う上に、保管庫５１〜５３が錠前２０に差し込まれた電子キー１からデータを読み取って個人認証するため、収納ボックスの開閉に２重の個人認証が行われ、セキュリティが高い。【００７９】
＜電子キーの盗難＞
甲が第三者乙に電子キー１を盗まれた場合でも、電子キー１は、「個人識別情報」を入力されておらず、且つ、「有効条件」を満たさなければ、無効化されている。そのため、第三者乙が無効化された電子キー１を収納ボックス５２Ａの錠前２０に差し込んでも、データ通信基板４５がＩＣチップ１３と電気的に接続しないため、錠前制御手段４０が収納ボックス５２Ａの錠前２０のソレノイド４６に電圧を印加せず、錠前２０の回転を制限する。よって、第三者乙は、電子キー１を所定方向に回転させて錠前２０を解錠出来ず、収納ボックス５２Ａからファイルを盗むことができない。【００８０】
尚、「個人識別情報」は、甲の手元で電子キー１に入力される。そのため、保管庫に取り付けた認証装置にパスワードを入力する場合と比べて格段に、第三者が「個人識別情報」を盗みにくい。特に、電子キー１は、第１及び第２設定値入力ボタン８ａ，８ｂの押下順序と押下回数によって「個人識別情報」が入力されるため、第三者丙が甲の操作を目で盗んで、同様の「個人識別情報」を電子キー１に入力するのは、ほぼ不可能である。よって、第三者乙が、盗んだ電子キー１に甲の「個人識別情報」を入力して、電子キー１を有効化することもできない。【００８１】
＜電子キーの貸出＞
例えば、ミーティングに出席している甲は、ミーティングの最中に別室に設置した収納ボックス５２Ａのファイルが必要になった場合には、「個人識別情報」を入力して有効化した電子キー１を部下丙に貸与し、ファイルを持ってくるように命じる。【００８２】
部下丙が、電子キー１の有効時間（５分）内に電子キー１を収納ボックス５２Ａの錠前に差し込むと、錠前制御手段４０が電子キー１を認識して、収納ボックス５２Ａの錠前２０の回転を許可する。部下丙は、電子キー１を所定方向に回転させて収納ボックス５２Ａを開き、甲に指示されたファイルを取り出した後、収納ボックス５２Ａの扉を閉じて電子キー１を所定方向と反対方向に回転させ、錠前２０を施錠する。【００８３】
＜電子キーのデータ書き換え＞
例えば、電子キー１を所持者を甲から丁に変更する場合には、例えば、電子キー１を製造元に送る。製造元では、書換専用装置（図示せず）を用いて、甲の「個人識別情報」を個人識別情報記憶手段２２ｂから削除し、丁の「個人識別情報」を個人識別情報記憶手段２２ｂに書き換え、丁に電子キー１を送る。そのため、電子キー１は、甲の「個人識別情報」を入力しても有効化されなくなり、丁に専用の鍵となる。【００８４】
＜電子キーを共有する場合＞
１個の電子キー１を複数人で共有する場合には、電子キー１のデータ変更権限を有する人或いは鍵管理ボックスが、電子キー１の使用を希望する人の「アクセス権」と「個人識別情報」をアクセス権記憶手段２６と個人識別情報記憶手段２２ｃにそれぞれ記憶させてから、電子キー１の持ち出しを許可する。電子キー１の使用者は、電子キー１に登録された「個人識別情報」を指示ボタン７や第１及び第２設定値入力ボタン８ａ，８ｂに入力すれば、上記と同様に電子キー１を有効化して使用することができる。【００８５】
尚、このように１個の電子キー１を複数人で共有する場合には、収納ボックス利用時に電子キー１に利用履歴を記憶させ、電子キー１から利用履歴を鍵管理ボックスに吸い上げて、鍵付保管庫５１，５２，５３に収納した保管物を管理するようにするとよい。セキュリティが向上するからである。
そして、返却された電子キー１は、セキュリティのために、個人識別情報記憶手段２２ｂに記憶した「登録個人識別情報」を削除するとよい。【００８６】
＜第１実施形態の作用効果＞
以上説明したように、第１実施形態の鍵付保管庫５１，５２，５３及びそれに使用される電子キー１は、電子キー１上の指示ボタン７と第１及び第２設定値入力ボタン８ａ，８ｂを用いて入力された個人識別情報に基づいて個人認証を行うことにより、有効化するので、指紋等の個人識別情報を読み取る大きな読み取り部や複雑な基板を設ける必要がなく、コンパクトである。また、本実施形態の電子キー１は、電子キー１の有効化又は無効化に場所的制限や時間的制限を受けず、利便性が良い。更に、本実施形態の電子キー１は、電子キー１を落としても、指示ボタン７と第１及び第２設定値入力ボタン８ａ，８ｂで正しい個人識別情報を入力しない限り、電子キー１を有効化して保管庫５１〜５３の収納ボックスを開閉できないので、セキュリティを向上させることができる。【００８７】
また、第１実施形態の鍵付保管庫５１，５２，５３及びそれに使用される電子キー１は、電子キー１の個人識別情報入力手段２２ｃ（指示ボタン７、第１及び第２設定値入力ボタン８ａ，８ｂ）に入力された「個人識別情報」を、電子キー１の個人識別情報記憶手段２２ｂに登録された「登録個人識別情報」と照合して個人認証するので、いつでも簡単に電子キー１を有効化又は無効化することができる。【００８８】
また、第１実施形態の鍵付保管庫５１，５２，５３及びそれに使用される電子キー１は、電子キー１の有効状態を維持するための有効時間に従って、電子キー１を有効にするので、一度有効にした電子キー１でも、有効時間を経過した時点で自動的に無効化され、鍵付保管庫５１，５２，５３の各収納ボックスを開閉できなくなる。よって、第１実施形態の鍵付保管庫５１，５２，５３及びそれに使用される電子キー１は、権限なき人が電子キー１を無制限に使用することを防止できる。【００８９】
尚、有効条件を回数とした場合には、電子キー１がＩＣチップからデータを読み取られた回数をカウントし、電子キー１が有効回数使用されたか否かを判断する。電子キー１は、有効回数使用された後、無効化され、権限なき人が電子キー１を無制限に使用できなくなる。【００９０】
また、第１実施形態の鍵付保管庫５１，５２，５３は、電子キー１に設けた第１及び第２端子１１，１２の極性を変えることによって、接触式のＩＣチップ１３からのデータの読み取りと、ＬＥＤ９の点灯とを行う。よって、第１実施形態の鍵付保管庫５１，５２，５３によれば、簡単且つコンパクトな回路構成で、ＬＥＤ９の点灯によって第１及び第２端子１１，１２が正常に導通し、ＩＣチップ１３からデータが読み取られていることを確認することができる。【００９１】
また、第１実施形態の鍵付保管庫５１，５２，５３は、第１及び第２スイッチ回路１４，１５が、ＬＥＤ９が発生する点滅信号に基づいて電子キー１に設けた第１及び第２端子１１，１２の極性を切り替えるので、部品点数を増やさずに回路を切り替えることができ、安価である。【００９２】
（第２実施形態）
続いて、本発明の鍵付保管庫及び電子キーの第２実施形態について説明する。図９は、本発明の第２実施形態に係り、電子キー１に記憶されるアクセス権を書き換えるデータ書換システム７０の一例を示す図である。
第２実施形態の鍵付保管庫及び電子キー１では、「携帯端末装置」の一例である携帯電話７１を用いて電子キー１をホストコンピュータ７８に接続し、ＩＣチップ１３のデータ（例えばアクセス権）を書き換える点に特徴を有する。ここでは、第１実施形態と共通する点は図面に同一符号を記載し、説明を適宜省略する。【００９３】
＜データ書換システムの概略構成＞
データ書換システム７０は、携帯電話７１を使用する。携帯電話７１は、操作部７２を備え、電子キー１に接続する接続制御装置７６が接続される。接続制御装置７６は、携帯電話７１に接続する第１コネクタ７３と、電子キー１の第１及び第２端子１１，１２に接触してデータを読み取るリーダを内蔵する第２コネクタ７５とを通信線７４で接続したものである。携帯電話７１は、ネットワーク網７７を介してホストコンピュータ７８に接続される。ネットワーク網７７は、通信会社が所有するネットワーク網を使用している。ホストコンピュータ７８は、使用者の「個人識別情報」と「電子キーＩＤ」と「アクセス権」とを関連付けて記憶するデータベースを備える。【００９４】
＜動作説明＞
図１０は、図９に示すデータ書換システム７０の動作を説明する図である。
データ書換システム７０では、携帯電話７１に通信制御装置７６を接続し、第２コネクタ７５に電子キー１を差し込むと、携帯電話７１が電子キー１に電子キーＩＤを問い合わせる。携帯電話７１は、電子キー１から電子キーＩＤを取得すると、電子キー１との通信が確立したことを認識する。携帯電話７１は、操作部７２を操作することによって、ネットワーク網７７を介してホストコンピュータ７８に接続される。その後、携帯電話７１は、電子キー接続完了通知をホストコンピュータ７８に送信する。【００９５】
ホストコンピュータ７８は、携帯電話７１から電子キー接続完了通知を受信すると、携帯電話７１との通信を確立させる。換言すれば、ホストコンピュータ７８は、携帯電話７１を媒体として、電子キー１のＩＣチップ１３と通信を確立する。それから、ホストコンピュータ７８は、ＩＣチップ１３に対して、「個人識別情報」と「電子キーＩＤ」を問い合わせる。ＩＣチップ１３は、個人識別情報記憶手段２２ｂから「個人識別情報」を読み出すとともに、電子キーＩＤ記憶手段２５から「電子キーＩＤ」を読み出し、ホストコンピュータ７８に送信する。【００９６】
ホストコンピュータ７８は、電子キー１から受信した「個人識別情報」と「電子キーＩＤ」をデータベースに照合し、「個人識別情報」と「電子ＩＤ」に対応する「アクセス権」をデータベースから読み出す。そして、読み出した「アクセス権」を「アクセス権書換データ」としてＩＣチップ１３に送信する。ＩＣチップ１３は、受信した「アクセス権書換データ」をアクセス権記憶手段２６に上書きし、アクセス権記憶手段２６の「アクセス権」を書き換える。ＩＣチップ１３は、書換が完了したら、ホストコンピュータ７８に書換完了通知を送信する。ホストコンピュータ７８は、書換完了通知を受信すると、携帯電話７１との接続を切断する。【００９７】
接続制御装置７６は、携帯電話７１とホストコンピュータ７８との接続が切断されると、電子キー１と携帯電話７１との接続を切断する。【００９８】
ここで、第２コネクタ７５は、ＩＣチップ１３とホストコンピュータ７８とが接続している間は電子キー１をロックするロック機構を内蔵すると良い。アクセス権の書換完了前に電子キー１が第２コネクタ７５から抜かれることを防止し、アクセス権を確実に書き換えるためである。【００９９】
＜第２実施形態に係る鍵付保管庫の作用効果＞
このように、第２実施形態の鍵付保管庫及びそれに使用される電子キー１では、電子キー１を携帯電話７１に接続し、携帯電話７１をネットワーク網７７を介してホストコンピュータ７８に接続することにより、ホストコンピュータ７８によって電子キー１のデータ（アクセス権）を書き換えることが可能である。よって、第２実施形態の鍵付保管庫及びそれに使用される電子キー１によれば、電子キー１のデータを書き換える時間や場所を制限されない。
また、第２実施形態の鍵付保管庫は、昨今、広く普及している携帯電話７１を「携帯端末装置」として利用しているため、管理者に電子キー１を渡してデータを書き換えてもらう時間的ロスを排除することができる。また、システム導入時には、別途書換装置を設ける必要がなく、ネットワーク網７７の利用料さえ支払えば、電子キー１のデータを書き換えられるので、データ書換システム７０を安価に導入することができる。
尚、携帯端末装置は、携帯電話７１に限らず、ＰＤＡなどであっても良い。【０１００】
（第３実施形態）
続いて、本発明の鍵付保管庫及び電子キーに係る第３実施形態について説明する。図１１は、本発明の第３実施形態に係り、電子キー１Ｄをパソコン９５に接続する構造の一例を示す図である。
第３実施形態の鍵付保管庫及び電子キー１Ｄは、「アクセス権」などＩＣチップ１３に記憶されているデータを書き換える書換装置との通信を制御する外部通信インターフェース９２を電子キー１Ｄに設けている点に特徴を有する。ここでは、第１実施形態と共通する点は図面に第１実施形態と同一の符号を付し、説明を適宜省略する。【０１０１】
＜電子キー＞
図１１に示すように、電子キー１Ｄは、ＩＣチップ１３に、既存のＵＳＢメモリ９１を通信可能に接続して一体化し、電子キー１Ｄに記憶媒体としての機能を付加したものである。電子キー１Ｄは、ＵＳＢメモリ９１の外部通信インターフェース９２を覆うカバー９３を備える。外部通信インターフェース９２は、パソコン９５のＵＳＢポート９４に接続し、パソコン９５との通信を制御するものである。パソコン９５は、ＩＣチップ１３に記憶されている「アクセス権」等のデータを書き換えるための書換プログラムがインストールされ、書換装置としての機能を有する。【０１０２】
＜動作説明＞
図１２は、図１１に示す電子キー１Ｄのデータ書換処理を示す図である。
電子キー１Ｄの「アクセス権」を書き換える場合、電子キー１Ｄの第１端子１１と第２端子１２を直接パソコン９５に接続し、ＩＣチップ１３とパソコン９５の通信を確立させることはできない。【０１０３】
しかし、電子キー１Ｄの外部通信インターフェース９２からカバー９３を取り外し、外部通信インターフェース９２をパソコン９５のＵＳＢポート９４に接続すると、パソコン９５がＵＳＢメモリ９１を介してＩＣチップ１３と接続し、通信を確立する。【０１０４】
パソコン９５は、ＩＣチップ１３との通信が確立したときをトリガとして、書換プログラムを起動する。パソコン９５は、パスワードや指紋認証、ＩＤ認証などによって、「アクセス権」の書換権限の有無を判断する。そして、書換権限がある場合には、ＩＣチップ１３に「アクセス権」を問い合わせる。ＩＣチップ１３は、アクセス権記憶手段２６から既存の「アクセス権」を読み出してパソコン９５へ送信する。パソコン９５は、ＩＣチップ１３から受信した「アクセス権」の内容を画面表示する。パソコン９５は、「アクセス権」の内容がキーボードなどで変更され、書換指示が入力されると、変更された「アクセス権」を「アクセス権変更データ」としてＩＣチップ１３へ送信する。【０１０５】
ＩＣチップ１３は、「アクセス権変更データ」をアクセス権記憶手段２６に上書きし、「アクセス権」の内容を書き換える。ＩＣチップ１３は、書換が完了すると、パソコン９５へ書換完了通知を送信する。パソコン９５は、書換完了通知を受信すると、ＵＳＢメモリ９１の外部通信インターフェース９２との接続を切断し、書換プログラムを終了する。これにより、電子キー１Ｄは、ＩＣチップ１３がパソコン９５と切断され、「アクセス権」の書換が完了する。【０１０６】
尚、パソコン９５は、「アクセス権」の書換権限がないと判断した場合には、「アクセス権」の内容変更を許可しない。よって、電子キー１Ｄは、無権限に「アクセス権」を変更できない。【０１０７】
＜第３実施形態に係る鍵付保管庫の作用効果＞
このように、第３実施形態の鍵付保管庫は、電子キー１Ｄの外部通信インターフェース９２をパソコン９５に接続すれば、電子キー１Ｄの「アクセス権」を書き換えることが可能になる。よって、第３実施形態の鍵付保管庫は、電子キー１Ｄのデータを書き換えるための書換専用装置や書換装置に接続する通信手段（配線等）などを別途設ける必要がなく、安価かつ簡単に電子キー１Ｄの「アクセス権」を書き換えることができる。
尚、電子キー１Ｄは、「アクセス権」の他、「個人識別情報」や「電子キーＩＤ」など記憶しているデータを、データ書換の正当権限を有する者がパソコン９５で書き換えられるようにしても良い。【０１０８】
（第４実施形態）
続いて、本発明の鍵付保管庫及び電子キーに係る第４実施形態について説明する。図１３は、本発明の第４実施形態に係り、電子キー１を管理する鍵管理ボックス８１の概略構成を示す図である。
第４実施形態の鍵付保管庫及び電子キー１は、電子キー１を保管する鍵管理ボックス８１に、電子キー１のデータを書き換える書換装置の機能を持たせ、鍵管理ボックス８１から取り出される電子キー１に乱数からなる「個人識別情報」を登録する点が、第１実施形態と相違する。よって、ここでは、第１実施形態と相違する点を中心に説明し、共通する点は図面に第１実施形態と同一符号を付し、説明を適宜省略する。【０１０９】
図１３に示すように、鍵管理ボックス８１は、開閉扉８２が付設され、開閉扉８２は通常閉じられている。鍵管理ボックス８１の開閉扉８２の内側には、１０個の電子キー１を保持するキー孔８３が付設されている。鍵管理ボックス８１には、カードリーダ８４、テンキー操作部８５、液晶表示部８６が付設されている。鍵管理ボックス８１は、通信線８７を介してパソコン８８に接続され、パソコン８８によって動作を制御される。通信線８７は、鍵管理ボックス８１とパソコン８８とを一対一で接続してもよいし、鍵管理ボックス８１とパソコン８８とをＬＡＮなどのネットワークで接続してもよい。キー孔８３には、図示しないキー抜け阻止手段により、通常は電子キー１を抜くことができない状態となっている。【０１１０】
＜動作説明＞
例えば、甲が非接触式ＩＣチップを備える社員証を鍵管理ボックス８１のカードリーダ８４に近づけると、カードリーダ８４がＩＤカードの非接触式ＩＣチップと通信する。非接触式ＩＣチップには、社員を識別するために個別に付与された「個人ＩＤ」が記憶されている。そこで、カードリーダ８４は、非接触式ＩＣチップから「個人ＩＤ」を取得する。また、鍵管理ボックス８１は、他人がＩＤカードを使用して不正行為することを防止するために、液晶表示部８６にパスワード入力画面を表示してパスワード入力を促す。【０１１１】
パソコン８８は、保管庫管理システムの使用権限を有する社員の「個人ＩＤ」に「パスワード」と「アクセス権」を関連付けて登録している。パソコン８８は、ＩＤカードから読み取った「個人ＩＤ」がパソコン８８に登録されている「個人ＩＤ」と一致し、且つ、テンキー操作部８５に入力されたパスワードがパソコン８８に記憶されているパスワードと一致する場合には、開錠許可信号を鍵管理ボックス８１に送信し、開閉扉８２の開閉を許可する。【０１１２】
パソコン８８は、各キー孔８３に設けた図示しない鍵抜け阻止手段の動作状態を検知し、どのキー孔８３に電子キー１が差し込まれているか常時把握している。パソコン８８は、キー孔８３に差し込まれている電子キー１の中から１個を特定してＩＣチップ１３を初期化した後、鍵管理ボックス８１を介して電子キー１のＩＣチップ１３に「アクセス権」と、乱数で定めた「個人識別情報」を書き込む。これらのデータが書き込まれた電子キー１は、甲に専用の鍵となり、また、特定の収納ボックス（例えば収納ボックス５１Ａ，５２Ａ，５３Ａ）を開閉可能な鍵となる。【０１１３】
パソコン８８は、データの書込みが完了したら、特定した電子キー１が収納されているキー孔８３の図示しないキー抜け阻止手段を解除する。そして、パソコン８８は、鍵管理ボックス８１の液晶表示部８６に、取り出し可能な電子キー１の収納場所を表示すると共に、ＩＣチップ１３に書き込んだ「個人識別情報」（例えば、Ａ−Ｂ−Ａ−Ａ−Ｂ）を表示する。【０１１４】
甲は、液晶表示部８６に表示された「個人識別情報」（Ａ−Ｂ−Ａ−Ａ−Ｂ）を覚えておく。甲は、例えば収納ボックス５２Ａを開く場合には、電子キー１の取り出し時に覚えた「個人識別情報」を、指示ボタン７と第１及び第２設定値入力ボタン８ａ，８ｂから電子キー１に入力し、電子キー１を有効化する。電子キー１の有効化は、第１実施形態と同様であるので説明を省略する。【０１１５】
尚、電子キー１は、「個人識別情報」を何回も入れ直して電子キー１を有効化することを防ぐために、「個人識別情報」の入力回数を制限しておくと良い。セキュリティを高めるためである。
甲は、どうしても「個人識別情報」を思い出せない場合や、入力回数を超えた場合には、鍵管理ボックス８１へ行って電子キー１を戻し、再度取り出せば、電子キー１に入れ直された別の「個人識別情報」を液晶表示部８６で確認して覚え直し、電子キー１を有効化することが可能である。【０１１６】
＜第４実施形態に係る鍵付保管庫及び電子キーの作用効果＞
第４実施形態の鍵付保管庫と電子キー１は、鍵管理ボックス８１から取り出すときに、乱数で設定される「個人識別情報」を個人識別情報記憶手段２２ｂに記憶するので、電子キー１を鍵管理ボックス８１から取り出す度に「個人識別情報」が異なる。そのため、甲が帰宅時に鍵管理ボックス８１に電子キー１を返却すると、翌日には、甲が鍵管理ボックス８１から電子キー１の「個人識別情報」が変わっている。そのため、仮に、第三者が、指示ボタン７と第１及び第２設定値入力ボタン８ａ，８ｂを操作する甲の手の動きから「個人識別情報」を盗んだとしても、第三者が、その翌日に甲の隙を狙って電子キー１を盗み、「個人識別情報」を入力しても、電子キー１を有効にすることができない。よって、第４実施形態に係る電子キー１によれば、「個人識別情報」が盗まれたとしても電子キー１を有効にできなくすることができ、セキュリティレベルを引き上げることができる。【０１１７】
（第５実施形態）
続いて、本発明の第５実施形態について説明する。
第５実施形態では、鍵管理ボックスが収納ボックスの開閉権限を電子キー１に記憶させる場合に、生体に関する個人情報（以下「生体情報」という。）を利用する点が第４実施形態と相違する。よって、ここでは、第１実施形態と相違する点を中心に説明し、共通する点は説明を適宜省略する。【０１１８】
鍵管理ボックスは、図１３に示すカードリーダ８４に変えて、生体情報を読み取るための生体データ読み取り部が設けられている。本実施形態では、指紋を生体情報の一例とする。鍵管理ボックスには、鍵管理ボックスを開閉する権限を有するユーザの指紋に関連付けてユーザ識別番号が予め登録されている。【０１１９】
鍵管理ボックスは、生体データ読み取り部が生体情報を読み取ると、その生体情報を引数として、当該ユーザが鍵管理ボックスを開閉する権限があるか否かを判断する。開閉権限がない場合には、鍵管理ボックスの開閉を許可しない。一方、開閉権限がある場合には、読み取った指紋とユーザ識別情報を電子キー１の接触式ＩＣチップ１３に記憶させる。そして、ロックを解除して電子キー１を鍵管理ボックスから取り出し可能にする。【０１２０】
ユーザは、電子キー１のボタン７，８ａ，８ｂを押下して個人識別情報を入力することにより電子キー１を有効化した後、電子キー１を収納ボックスの錠前２０に差し込む。錠前２０に接続する錠前制御手段４０には、当該収納ボックスを開閉できるユーザの指紋とユーザ識別情報が収納ボックス毎に登録されている。そこで、錠前制御手段４０は、接触式ＩＣチップ１３から読み取った指紋とユーザ識別情報を、電子キー１が差し込まれた錠前の収納ボックスに対応して予め登録された指紋とユーザ識別情報に照合する。読み取った指紋とユーザ識別情報の何れかが登録された指紋及びユーザ識別情報と一致しない場合には、錠前２０の回転を許可しない。つまり、収納ボックスの開閉を拒否する。一方、読み取った指紋及びユーザ識別情報が登録された指紋及びユーザ識別情報と一致する場合には、錠前２０の回転を許可する。つまり、収納ボックスの開閉を許可する。電子キー１は、収納ボックスを閉じたときに、接触式ＩＣチップ１３に収納ボックスの利用履歴が書き込まれる。このようにして使用される電子キー１は、有効時間又は有効回数を超過すると、無効化される。【０１２１】
電子キー１は、鍵管理ボックスのキー孔８３に返却されたときに、接触式ＩＣチップ１３に記憶されている指紋と収納ボックスの利用履歴が鍵管理ボックスに吸い上げられる。鍵管理ボックスは、吸い上げた指紋を引数としてユーザを特定し、収納ボックスの利用履歴を記憶する。【０１２２】
よって、第５実施形態の電子キー１は、保管庫の錠前２０に差し込まれたときに、ユーザ識別情報と指紋とで権限認証が行われるため、保管庫のセキュリティが向上する。
しかも、電子キー１がユーザの指紋を記憶しているため、保管庫に指紋データ読み取り部を設ける必要がなく、保管庫のコストを抑えることができる。
仮に、ユーザが指紋を記憶する電子キー１を落としたとしても、電子キー１は、個人識別情報をボタン７，８ａ，８ｂを用いて入力して有効化しなければ、保管庫を開閉できない。よって、本実施形態の電子キー１には、鍵管理ボックス８１から持ち出す際に記憶した指紋や、ボタン７，８ａ，８ｂに入力される番号、電子キーＩＤ等により、個人認証が幾重にも行われ、セキュリティが高い。【０１２３】
尚、本発明は、上記実施の形態に限定されることなく、色々な応用が可能である。
（１）上記実施形態では、第１及び第２スイッチ回路１４，１５を用いて回路を切り替えたが、第１及び第２スイッチ回路１４，１５を耐久性がある半導体に変えて回路を切り替えるようにしてもよい。【０１２４】
（２）上記実施形態では、指示ボタン７と設定値入力ボタン８とで個人識別情報入力手段２２ｃを構成した。これに対して、図１４の電子キー１Ａに示すように、十字型のキースイッチ（ボタンの一例）６１を個人識別情報入力手段２２ｃとしてＩＣユニット３に設け、例えば、上下左右ボタンを設定値入力ボタンとして使用し、中央のボタンを指示ボタンとして使用してもよい。これによれば、「個人識別情報」を設定するボタン操作の組み合わせが複雑になり、電子キーの所有者が「個人識別情報」を入力する手の動きを見て第三者が「個人識別情報」を盗むことを防止できる。
また、図１５の電子キー１Ｂに示すように、電子キーの所有者の個人識別情報を入力するためのボタンの一例であるジョグダイヤル６２をＩＣユニット３に設け、例えば、ジョグダイヤル６２を押下して入力開始を指示した後、ジョグダイヤル６２を正方向と逆方向に所定回数繰り返し回転させて「個人識別情報」を入力し、その後、ジョグダイヤル６２を押下して入力終了を指示するようにしてもよい。これによれば、電子キー１Ｂの所有者が「個人識別情報」を入力する動作が小さく、「個人識別情報」を第三者が盗みにくい。
更に図１６の電子キー１Ｃに示すように、指紋読み取り機６３を個人識別情報入力手段２２ｃとしてＩＣユニット３に設けてもよい。この場合、電子キー１Ｃの所有者は、指紋読み取り機に登録された指を擦るだけで、「個人識別情報」を入力することができる。【０１２５】
（３）上記実施形態で説明した電子キー１の電子回路構成を、図１７に示すように変更してもよい。図１７に示す電子回路を備える電子キーは、第１抵抗Ｒ１がＩＣチップ１３と並列に接続されている点が、上記実施形態の電子キーの電子回路（図７参照）と相違する。図１７に示す電子回路によっても、第１端子１１が正極、第２端子１２が負極にされた場合に、ＩＣチップ１３と第１整流ダイオードＤ１を経由して電流が流れ、ＩＣチップ１３にデータをリードライトすることが可能であり、第１端子１１と第２端子１２の極性を切り替えることによって、ＬＥＤ９を点灯させることが可能である。【０１２６】
（４）上記実施形態では、電子キー１が接触式ＩＣチップ１３を内蔵するが、非接触式ＩＣチップを電子キーに使用してもよい。【０１２７】
（５）上記実施形態では、保管庫５１，５２，５３の錠前２０は、ソレノイド４６によるロックを解除した状態で電子キー１と共に回転させ、施錠と解錠を行った。これに対して、電子キー１の電子キーＩＤによって権限認証したときに、電子キー１を回転させずに、モータやソレノイドの駆動のみで電子錠を施錠又は解錠するようにしてもよい。【０１２８】
（６）上記実施形態では、錠前２０は、保管庫５１，５２，５３の各収納ボックスに製造時に取り付けられている。これに対して、例えば、保管庫に錠前２０と錠前制御手段４０を一体にした面付け錠を各収納ボックスに後付けし、電子キー１を用いて面付け錠の施錠と解錠を行うようにしてもよい。
（７）上記実施形態では、ＩＣチップ１３が電池１７を電源として駆動した。これに対して、ＩＣチップ用基板１０にコンデンサを設け、錠前２０や鍵管理ボックスなどに電子キー１を接続したときにコンデンサに蓄電しておき、ＩＣチップ１３をコンデンサに蓄電された電気によって駆動させるようにしても良い。この場合には、コンデンサに蓄電された電気がなくなると、個人識別情報を入力できなくなるため、電子キー１を錠前２０に挿してから電子キーＩＤに個人識別情報を入力可能な時間若しくは回数が制約を受け、セキュリティが向上する。
（８）上記第２実施形態では、データ書換システム７０を用いて電子キー１に記憶するアクセス権を書き換えるようにしたが、変更後の「電子キーＩＤ」や「個人識別情報」をホストコンピュータ７８側で決定し、電子キー１に上書きするようにしても良い。
（９）上記第２実施形態では、通信回線の一例としてネットワーク網７７を挙げたが、赤外線通信などの無線通信を用いても良い。
（１０）尚、電子キー１自体に認証機能を持たせる本発明の趣旨に反するが、個人認証の場所的制限や時間的制限を回避する方法としては、例えば、携帯電話などの携帯端末装置に電子キー１を繋ぎ、携帯電話装置の操作部を用いて個人識別情報を入力して携帯電話装置に個人認証を行わせ、電子キー１を有効又は無効化するようにしても良い。
（１１）電子キー１は保管庫以外の机、扉等のオフィス家具製品やその他製品に使用しても良い。
（１２）上記実施形態では、電子キー１のＩＣチップ１３とＬＥＤ９に反対向きに電流が流れるようにしたが、ＩＣチップ１３とＬＥＤ９に同一方向に電流が流れるようにしても良い。
（１３）上記実施形態では、差込体２の両側に第１端子１１と第２端子１２を絶縁状態で配置した。これに対して、差込体２を第２端子部材とし、板状の第１端子を差込体２に絶縁状態で取り付けてもよい。この場合、第１端子は、差込体２に対して直交するように取り付け、差込体２の両面に突出してスイッチ回路の電極に接触しやすくしても良い。
【図１】
2009057613.tif 000003
【図２】
2009057613.tif 000004
【図３】
2009057613.tif 000005
【図４】
2009057613.tif 000006
【図５】
2009057613.tif 000007
【図６】
2009057613.tif 000008
【図７】
2009057613.tif 000009
【図８】
2009057613.tif 000010
【図９】
2009057613.tif 000011
【図１０】
2009057613.tif 000012
【図１１】
2009057613.tif 000013
【図１２】
2009057613.tif 000014
【図１３】
2009057613.tif 000015
【図１４】
2009057613.tif 000016
【図１５】
2009057613.tif 000017
【図１６】
2009057613.tif 000018
【図１７】
2009057613.tif 000019
【図１８】
2009057613.tif 000020
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
電子キーＩＤを記憶する電子キーＩＤ記憶手段を備える前記電子キーと、保管物を収納する収納ボックスと、前記収納ボックスの開閉を許可する開閉許可手段と、前記電子キーＩＤを読み取って権限認証した場合に、前記開閉許可手段に前記収納ボックスの開閉を許可させる開閉制御手段と、を有する鍵付保管庫において、
前記電子キーは、
１又は２以上のボタンと、
前記１又は２以上のボタンを操作する特定の操作内容を特定の個人識別情報として登録する個人識別情報記憶手段と、
前記１又は２以上のボタンを操作して入力された個人識別情報を前記個人識別情報記憶手段に登録された前記特定の個人識別情報に照合し、入力された個人識別情報と前記特定の個人識別情報とが一致した場合には、前記電子キーを有効化し、入力された個人識別情報と前記特定の個人識別情報とが一致しない場合には、前記電子キーを無効化する電子キー有効・無効設定手段と、
を有することを特徴とする鍵付保管庫。
【請求項２】
請求項１に記載する鍵付保管庫において、
前記電子キー有効・無効設定手段は、
前記電子キーの有効状態を維持するための有効時間又は有効化された前記電子キーを使用可能な有効回数を超えたか否かを判定する有効条件判定手段と、
前記有効条件判定手段が前記有効時間又は前記有効回数を超えていないと判定した場合に、前記電子キーＩＤ記憶手段へのアクセスを許可する電子キーアクセス許可手段と、
を有することを特徴とする鍵付保管庫。
【請求項３】
請求項１又は請求項２に記載する鍵付保管庫において、
前記電子キーが、ホストコンピュータに通信回線を介して接続する携帯端末装置を用いて、内部データを書き換えられる
ことを特徴とする鍵付保管庫。
【請求項４】
請求項１乃至請求項３の何れか一つに記載する鍵付保管庫に使用されることを特徴とする電子キー。
【請求項５】
ＩＣチップを内蔵する電子キーにおいて、
１又は２以上のボタンと、
前記１又は２以上のボタンを操作する特定の操作内容を特定の個人識別情報として登録する個人識別情報記憶手段と、
前記１又は２以上のボタンを操作して入力された個人識別情報を前記個人識別情報記憶手段に登録された前記特定の個人識別情報に照合し、入力された個人識別情報と前記特定の個人識別情報とが一致した場合には、前記電子キーを有効化し、入力された個人識別情報と前記特定の個人識別情報とが一致しない場合には、前記電子キーを無効化する電子キー有効・無効設定手段と、
を有することを特徴とする電子キー。
【請求項６】
請求項１に記載する鍵付保管庫において、
前記ボタンは、押下式又はダイヤル式であること
を特徴とする鍵付保管庫。
【請求項７】
請求項１に記載する鍵付保管庫において、
前記電子キーは、電池を有し、
前記電子キー有効・無効設定手段が前記電池を電源として駆動する
ことを特徴とする鍵付保管庫。
【請求項８】
請求項５に記載する電子キーにおいて、
前記ボタンは、押下式又はダイヤル式であること
を特徴とする電子キー。
【請求項９】
請求項５に記載する電子キーにおいて、
前記電子キーは、電池を有し、
前記電子キー有効・無効設定手段が前記電池を電源として駆動する
ことを特徴とする電子キー。
【手続補正書】
【提出日】平成22年4月5日(2010.4.5)
【手続補正１】
【補正対象書類名】明細書
【補正対象項目名】００１０
【補正方法】変更
【補正の内容】
【００１０】
また例えば、特許文献3には、電子キーを電子キー発行ボックスにセットしているときに、電子キーが電子キー発行ボックスと双方向通信を行い、認証用の識別符号を登録されることが記載されている。そして、特許文献3には、電子キーを金庫扉の金庫錠に差し込むと、金庫側制御部が電子キーから認証用の識別符号を読み込んで自己の個別の識別符号と一致するか否かを判断し、一致すると判断したときに、金庫の鍵穴を覆っているカバーロックのロックを解除して金庫の鍵穴を露呈可能にすることが記載されている。さらに、特許文献3には、カバーロックのロックを解除することにより、ユーザが、カバーロックを露呈位置へ移動させて、電子キーと別の鍵を鍵穴に差し込んで金庫を解錠させることが記載されている。このような特許文献3記載の技術によれば、電子キーに登録された指紋に基づいて権限認証に成功した場合だけ、金庫を施錠・解錠することができる。
【手続補正２】
【補正対象書類名】明細書
【補正対象項目名】００３０
【補正方法】変更
【補正の内容】
【００３０】
1 電子キー
7 指示ボタン
8a,8b 第1,第2設定値入力ボタン
13 接触式ICチップ
20 錠前(開閉許可手段)
22 個人認証手段
22a 個人識別情報判別手段
22b 個人識別情報記憶手段
22c 個人識別情報入力手段
23 有効条件判定手段
24 電子キーアクセス許可制御手段
25 電子キーID記憶手段
28 電子キー有効・無効設定手段
40 錠前制御手段(開閉制御手段)
51,52,53 鍵付保管庫
51A,52A,52B,52C,52D,53A,53B,53C,53D 収納ボックス
71 携帯電話(携帯端末装置)
77 ネットワーク網(通信回線)
78 ホストコンピュータ
92 外部通信インターフェース
95 パソコン(書換装置) 
【手続補正３】
【補正対象書類名】明細書
【補正対象項目名】００４２
【補正方法】変更
【補正の内容】
【００４２】
<電子キーの電気回路構成>
図7は、図3に示す電子キー1のリードライト回路を示すブロック図である。
電子キー1は、第1整流ダイオードD1のアノード側がICチップ13に接続され、第1整流ダイオードD1のカソード側が第２端子１２に接続されており、第1端子11からICチップ13を介して第2端子12へ電流を流すようになっている。第1抵抗R1は、第1整流ダイオードD1と並列に設けられ、非線形素子であるICチップ13に僅かな電流が流れたときでも第1整流ダイオードD1をON状態に切り替えられるようにしている。
【手続補正４】
【補正対象書類名】明細書
【補正対象項目名】００４７
【補正方法】変更
【補正の内容】
【００４７】
個人識別情報記憶手段22bは、電子キー1の付与時に予め登録された「個人識別情報」(以下、個人識別情報入力手段22cに入力された「個人識別情報」と区別するために、「登録個人識別情報」という。)を登録するものである。個人識別情報記憶手段22bに記憶された「登録個人識別情報」は、セキュリティを高めるために、電子キー1のデータを専門に書き換える書換専用装置(例えば、書き換え専用ソフトをインストールしたパソコン)においてのみ、書き換えられるようになっている。
個人識別情報判定手段22aは、個人識別情報入力手段22cに入力された「個人識別情報」を個人識別情報記憶手段22bの登録個人識別情報と照合して、一致する場合に個人認証するものである。
【手続補正５】
【補正対象書類名】明細書
【補正対象項目名】００５１
【補正方法】変更
【補正の内容】
【００５１】
電子キーID記憶手段25は、電子キー1を識別する「電子キーID」を記憶するものである。電子キーID記憶手段25に記憶された「電子キーＩＤ」は、セキュリティを高めるために、電子キー1のデータを専門に書き換える書換専用装置(例えば、書き換え専用ソフトをインストールしたパソコン)においてのみ、書き換えられるようになっている。尚、電子キーID記憶手段25は、ICチップ13の製造時にICチップ13に個別に付与される番号を電子キーIDとして記憶するものであっても良い。
【手続補正６】
【補正対象書類名】明細書
【補正対象項目名】００５４
【補正方法】変更
【補正の内容】
【００５４】
尚、電子キーアクセス許可制御手段24と外部通信インターフェース手段27との間には、電池残量測定手段29が接続している。電池残量測定手段29は、電池17の残量を監視し、電池17の残量が所定量以下になった場合にLED9を特定周期で点滅させてユーザに電池残量が少なくなったことを知らせるものである。
【手続補正７】
【補正対象書類名】明細書
【補正対象項目名】００８０
【補正方法】変更
【補正の内容】
【００８０】
尚、「個人識別情報」は、甲の手元で電子キー1に入力される。そのため、保管庫に取り付けた認証装置にパスワードを入力する場合と比べて格段に、第三者が「個人識別情報」を盗みにくい。特に、電子キー1は、第1及び第2設定値入力ボタン8a,8bの押下順序と押下回数によって「個人識別情報」が入力されるため、第三者乙が甲の操作を目で盗んで、同様の「個人識別情報」を電子キー1に入力するのは、ほぼ不可能である。よって、第三者乙が、盗んだ電子キー1に甲の「個人識別情報」を入力して、電子キー1を有効化することもできない。
【手続補正８】
【補正対象書類名】明細書
【補正対象項目名】００８６
【補正方法】変更
【補正の内容】
【００８６】
<第1実施形態の作用効果>
以上説明したように、第1実施形態の鍵付保管庫51,52,53及びそれに使用される電子キー1は、電子キー1上の指示ボタン7と第1及び第2設定値入力ボタン8a,8bを用いて入力された個人識別情報に基づいて個人認証を行うことにより、有効化するので、指紋等の個人識別情報を読み取る大きな読み取り部や複雑な基板を設ける必要がなく、コンパクトである。また、本実施形態の鍵付保管庫51,52,53及び電子キー1は、電子キー1の有効化又は無効化に場所的制限や時間的制限を受けず、利便性が良い。更に、本実施形態の鍵付保管庫51,52,53及び電子キー1は、電子キー1を落としても、指示ボタン7と第1及び第2設定値入力ボタン8a,8bで正しい個人識別情報を入力しない限り、電子キー1を有効化して保管庫51~53の収納ボックスを開閉できないので、セキュリティを向上させることができる。
【手続補正９】
【補正対象書類名】明細書
【補正対象項目名】００８９
【補正方法】変更
【補正の内容】
【００８９】
尚、有効条件を回数とした場合には、電子キー1がICチップ１３からデータを読み取られた回数をカウントし、電子キー1が有効回数使用されたか否かを判断する。電子キー1は、有効回数使用された後、無効化され、権限なき人が電子キー1を無制限に使用できなくなる。
【手続補正１０】
【補正対象書類名】明細書
【補正対象項目名】０１１５
【補正方法】変更
【補正の内容】
【０１１５】
尚、電子キー1は、「個人識別情報」を何回も入れ直して電子キー1を有効化することを防ぐために、「個人識別情報」の入力回数を制限しておくと良い。セキュリティを高めるためである。
甲は、どうしても「個人識別情報」を思い出せない場合や、入力回数が規定値を超えた場合には、鍵管理ボックス81へ行って電子キー1を戻し、再度取り出せば、電子キー1に入れ直された別の「個人識別情報」を液晶表示部86で確認して覚え直し、電子キー1を有効化することが可能である。
【手続補正１１】
【補正対象書類名】明細書
【補正対象項目名】０１１６
【補正方法】変更
【補正の内容】
【０１１６】
<第4実施形態に係る鍵付保管庫及び電子キーの作用効果>
第4実施形態の鍵付保管庫と電子キー1は、鍵管理ボックス81から取り出すときに、乱数で設定される「個人識別情報」を個人識別情報記憶手段22bに記憶するので、電子キー1を鍵管理ボックス81から取り出す度に「個人識別情報」が異なる。そのため、甲が帰宅時に鍵管理ボックス81に電子キー1を返却すると、翌日に、甲が鍵管理ボックス81から電子キー1を取り出すときに「個人識別情報」が変わる。そのため、仮に、第三者が、指示ボタン7と第1及び第2設定値入力ボタン8a,8bを操作する甲の手の動きから「個人識別情報」を盗み、第三者が、その翌日に甲の隙を狙って電子キー1を盗んで、「個人識別情報」を入力しても、電子キー1を有効にすることができない。よって、第4実施形態に係る電子キー1によれば、「個人識別情報」が盗まれたとしても電子キー1を有効にできなくすることができ、セキュリティレベルを引き上げることができる。
【手続補正１２】
【補正対象書類名】明細書
【補正対象項目名】０１１７
【補正方法】変更
【補正の内容】
【０１１７】
(第5実施形態)
続いて、本発明の第5実施形態について説明する。
第5実施形態では、鍵管理ボックスが収納ボックスの開閉権限を電子キー1に記憶させる場合に、生体に関する個人情報(以下「生体情報」という。)を利用する点が第4実施形態と相違する。よって、ここでは、第４実施形態と相違する点を中心に説明し、共通する点は説明を適宜省略する。
【手続補正１３】
【補正対象書類名】明細書
【補正対象項目名】０１２４
【補正方法】変更
【補正の内容】
【０１２４】
(2)上記実施形態では、指示ボタン7と設定値入力ボタン8とで個人識別情報入力手段22cを構成した。これに対して、図14の電子キー1Aに示すように、十字型のキースイッチ(ボタンの一例)61を個人識別情報入力手段22cとしてICユニット3に設け、例えば、上下左右ボタンを設定値入力ボタンとして使用し、中央のボタンを指示ボタンとして使用してもよい。これによれば、「個人識別情報」を設定するボタン操作の組み合わせが複雑になり、電子キーの所有者が「個人識別情報」を入力する手の動きを見て第三者が「個人識別情報」を盗むことを防止できる。
また、図15の電子キー1Bに示すように、電子キーの所有者の個人識別情報を入力するためのボタンの一例であるジョグダイヤル62をICユニット3に設け、例えば、ジョグダイヤル62を押下して入力開始を指示した後、ジョグダイヤル62を正方向と逆方向に所定回数繰り返し回転させて「個人識別情報」を入力し、その後、ジョグダイヤル62を押下して入力終了を指示するようにしてもよい。これによれば、電子キー1Bの所有者が「個人識別情報」を入力する動作が小さく、「個人識別情報」を第三者が盗みにくい。
更に図16の電子キー1Cに示すように、指紋読み取り機63を個人識別情報入力手段22cとしてICユニット3に設けてもよい。この場合、電子キー1Cの所有者は、指紋読み取り機６３に登録された指を擦るだけで、「個人識別情報」を入力することができる。
【手続補正１４】
【補正対象書類名】明細書
【補正対象項目名】０１２８
【補正方法】変更
【補正の内容】
【０１２８】
(6)上記実施形態では、錠前20は、保管庫51,52,53の各収納ボックスに製造時に取り付けられている。これに対して、例えば、保管庫に錠前20と錠前制御手段40を一体にした面付け錠を各収納ボックスに後付けし、電子キー1を用いて面付け錠の施錠と解錠を行うようにしてもよい。
(7)上記実施形態では、ICチップ13が電池17を電源として駆動した。これに対して、ICチップ用基板10にコンデンサを設け、錠前20や鍵管理ボックスなどに電子キー1を接続したときにコンデンサに蓄電しておき、ICチップ13をコンデンサに蓄電された電気によって駆動させるようにしても良い。この場合には、コンデンサに蓄電された電気がなくなると、個人識別情報を入力できなくなるため、電子キー1を錠前20に挿してから電子キー１に個人識別情報を入力可能な時間若しくは回数が制約を受け、セキュリティが向上する。
(8)上記第2実施形態では、データ書換システム70を用いて電子キー1に記憶するアクセス権を書き換えるようにしたが、変更後の「電子キーID」や「個人識別情報」をホストコンピュータ78側で決定し、電子キー1に上書きするようにしても良い。
(9)上記第2実施形態では、通信回線の一例としてネットワーク網77を挙げたが、赤外線通信などの無線通信を用いても良い。
(10)尚、電子キー1自体に認証機能を持たせる本発明の趣旨に反するが、個人認証の場所的制限や時間的制限を回避する方法としては、例えば、携帯電話などの携帯端末装置に電子キー1を繋ぎ、携帯電話装置の操作部を用いて個人識別情報を入力して携帯電話装置に個人認証を行わせ、電子キー1を有効又は無効化するようにしても良い。
(11)電子キー1は保管庫以外の机、扉等のオフィス家具製品やその他製品に使用しても良い。
(12)上記実施形態では、電子キー1のICチップ13とLED9に反対向きに電流が流れるようにしたが、ICチップ13とLED9に同一方向に電流が流れるようにしても良い。
(13)上記実施形態では、差込体2の両側に第1端子11と第2端子12を絶縁状態で配置した。これに対して、差込体2を第2端子部材とし、板状の第1端子を差込体2に絶縁状態で取り付けてもよい。この場合、第1端子は、差込体2に対して直交するように取り付け、差込体2の両面に突出してスイッチ回路の電極に接触しやすくしても良い。
【国際調査報告】
2009057613.tif 000021
2009057613.tif 000022
2009057613.tif 000023
2009057613.tif 000024